(57)【特許請求の範囲】
【請求項１】
２枚のパネル材の連結方向にそれぞれ突設するフランジと、室内側から装着する連結ボルトを介し、前記フランジを同一平面内に突き合わせて室内側、室外側から挟み込んで連結する一対の連結フレームとを備えてなり、前記フランジは、パネル材の室内側、室外側の鋼板製の表面材を重ね合わせて連結方向に延長して形成し、前記連結フレームは、それぞれ全長に亘って室内側に開口部を形成する鋼板製のチャンネル材であることを特徴とするシールドルーム用のパネル材の連結構造。
【請求項２】
前記連結フレームは、それぞれ前記開口部の両側にフランジ部分を形成することを特徴とする請求項１記載のシールドルーム用のパネル材の連結構造。
【請求項３】
前記各連結フレームは、パネル材との間に、それぞれ室内側、室外側に開口する電磁波の減衰用のギャップを形成することを特徴とする請求項１または請求項２記載のシールドルーム用のパネル材の連結構造。
【請求項４】
前記各フランジは、それぞれの先端のサブフランジを介し、室外側の前記連結フレーム内に開口する電磁波の減衰用のギャップを形成することを特徴とする請求項１ないし請求項３のいずれか記載のシールドルーム用のパネル材の連結構造。
【請求項５】
前記連結フレームの一方または双方と前記フランジとの間には、軟質のシールドシート材を介装することを特徴とする請求項１ないし請求項４のいずれか記載のシールドルーム用のパネル材の連結構造。
【請求項６】
前記連結フレームは、室内側の前記連結フレームの開口部を閉じる着脱可能なカバー材とともにパネルの室内側、室外側の表面と同一平面を形成することを特徴とする請求項１ないし請求項５のいずれか記載のシールドルーム用のパネル材の連結構造。
【発明の詳細な説明】
【０００１】
【発明の属する技術分野】
この発明は、パネル材を体裁よく連結し、高度の電磁遮蔽性能を容易に実現することができるシールドルーム用のパネル材の連結構造に関する。
【０００２】
【従来の技術】
シールドルームを室内に作るとき、電磁遮蔽性能を有するパネル材を使用して床面、四周の壁面、天井面を形成するのが普通である。
【０００３】
パネル材は、ボルトを介し、室内側、室外側の目地板をねじ止めしたり、側端面の合欠き部分をねじ止めしたりして、所要枚数を連結することができる。
【０００４】
【発明が解決しようとする課題】
かかる従来技術によるときは、パネル材は、ボルトを使用し、目地板や合欠きを介して連結するため、連結部分の密着性が不足しがちであり、ボルトの頭部が室内側に突出して電磁波吸収材からなる内装材の貼付けが難しく、十分な電磁遮蔽性能を得ることが難しい上、表面体裁もよくないという問題が避けられなかった。
【０００５】
そこで、この発明の目的は、かかる従来技術の問題に鑑み、室内側、室外側の連結フレームにより、パネル材に突設するフランジを連結することによって、パネル材を体裁よく連結し、高度の電磁遮蔽性能を容易に実現することができるシールドルーム用のパネル材の連結構造を提供することにある。
【０００６】
【課題を解決するための手段】
かかる目的を達成するためのこの発明の構成は、２枚のパネル材の連結方向にそれぞれ突設するフランジと、室内側から装着する連結ボルトを介し、フランジを同一平面内に突き合わせて室内側、室外側から挟み込んで連結する一対の連結フレームとを備えてなり、フランジは、パネル材の室内側、室外側の鋼板製の表面材を重ね合わせて連結方向に延長して形成し、連結フレームは、それぞれ全長に亘って室内側に開口部を形成する鋼板製のチャンネル材であることをその要旨とする。
【０００７】
なお、連結フレームは、それぞれ開口部の両側にフランジ部分を形成することができる。
【０００８】
また、各連結フレームは、パネル材との間に、それぞれ室内側、室外側に開口する電磁波の減衰用のギャップを形成することができ、各フランジは、それぞれの先端のサブフランジを介し、室外側の連結フレーム内に開口する電磁波の減衰用のギャップを形成することができる。
【０００９】
さらに、連結フレームの一方または双方とフランジとの間には、軟質のシールドシート材を介装することができる。
【００１０】
なお、連結フレームは、室内側の連結フレームの開口部を閉じる着脱可能なカバー材とともにパネルの室内側、室外側の表面と同一平面を形成してもよい。
【００１１】
【作用】
かかる発明の構成によるときは、一対の連結フレームは、室内側から装着する連結ボルトを介し、パネル材のフランジを同一平面内に突き合わせて室内側、室外側から挟み込んで連結し、室内側の連結フレームの開口部を閉じるカバー材とともに、パネル材の室内側、室外側の表面と同一平面を形成する。すなわち、パネル材は、それぞれのフランジと、フランジを挟み込む室内側、室外側の連結フレームとを介し、電気的に完全な一体に連結することができ、良好な電磁遮蔽性能を得ることができる。なお、連結ボルトは、室内側の連結フレームの開口部を介し、室内側の連結フレーム内において室内側から室外側の連結フレームにねじ込み、カバー材を介して開口部を閉じることにより、室内側、室外側のいずれにも露出することがない。
【００１２】
パネル材の表面材を延長して形成するフランジは、表面材と機械的、電気的に完全な一体であり、パネル材の連結部分において、室内側から室外側、室外側から室内側の双方の電磁波の漏洩を最少に抑えることができる。
【００１３】
各連結フレームは、パネル材との間にギャップを形成することにより、ギャップを介して電磁波の減衰用の迷路を形成し、パネル材の連結部分における電磁遮蔽性能を向上させることができる。なお、ギャップは、幅１〜５mm程度、深さ約２０〜３０mm以上に形成するのがよい。
【００１４】
各フランジは、それぞれの先端のサブフランジを介してギャップを形成することにより、電磁波の減衰用の迷路を形成し、パネル材の連結部分における電磁遮蔽性能を一層向上させることができる。なお、この場合のギャップは、幅１〜５mm程度とし、深さは、約１０mm以上とし、パネル材の厚さの半分以下にするのがよい。
【００１５】
連結フレームとフランジとの間に軟質のシールドシート材を介装すれば、シールドシート材は、連結フレームとフランジとを一様に均一に密着させることができる。なお、連結ボルトの配列ピッチは、４０〜１００mm程度に設定するのがよい。配列ピッチが４０mmより小さいと、連結ボルトの所要本数が過大となって組立作業が煩雑になり、１００mmより大きいと、連結フレームとフランジとの密着性が悪く、電磁遮蔽性能を低下させるおそれがある。
【００１６】
着脱可能なカバー材は、室内側の連結フレーム内を配線ケーブルの収納スペースとして利用する際に、配線工事や保守点検作業を簡単にすることができる。
【００１７】
【発明の実施の形態】
以下、図面を以って発明の実施の形態を説明する。
【００１８】
シールドルーム用のパネル材の連結構造Ａは、２枚のパネル材１０、１０の連結方向にそれぞれ突設するフランジ１５、１５と、一対の連結フレーム２１、２２と、カバー材３１とを備えてなる（図１、図２）。
【００１９】
各パネル材１０は、枠状のフレーム材１１に鋼板製の表面材１２、１３を付設して構成され、ハニカム材１４が内装されている。フランジ１５は、室内側、室外側の表面材１２、１３をパネル材１０の側端面の中間位置に重ね合わせ、他のパネル材１０の連結方向に延長して形成されている。なお、フランジ１５には、連結孔１５ａ、１５ａ…がピッチＰごとに形成され、フランジ１５の先端には、室外側の表面材１３を室外側に屈曲してサブフランジ１５ｂが形成されている。
【００２０】
連結フレーム２１、２２は、それぞれ全長に亘って室内側に開口部２１ａ、２２ａを形成する鋼板製のチャンネル材である。ただし、室内側の連結フレーム２１の開口部２１ａは、室外側の連結フレーム２２の開口部２２ａより幅が大きくなっている。連結フレーム２１のウェブ部分には、フランジ１５、１５の連結孔１５ａ、１５ａ…と同径の取付孔２１ｂ、２１ｂ…が同一ピッチに左右２列に形成されており、各フランジ部分には、ねじ孔２１ｃ、２１ｃ…が形成されている。連結フレーム２２の各フランジ部分には、エンボス加工により、連結孔１５ａ、１５ａ…、取付孔２１ｂ、２１ｂ…に対応するねじ孔２２ｂ、２２ｂ…が形成されている。
【００２１】
連結フレーム２１、２２は、室内側からねじ孔２２ｂ、２２ｂ…にねじ込んで装着する連結ボルト２３、２３…を介し、フランジ１５、１５を同一平面内に突き合わせて室内側、室外側から挟み込むようにして連結することができる。すなわち、パネル材１０、１０は、それぞれのフランジ１５、１５、連結フレーム２１、２２を介して連結することができ、連結ボルト２３、２３…は、連結フレーム２１、２２内に収納され、外部に露出することがない。各連結ボルト２３は、ワッシャ２３ｂ、２３ｃ、スプリングワッシャ２３ｄを介して固定されており、室内側の連結フレーム２１とフランジ１５、１５との間には、軟質のシールドシート材２４が介装されている。シールドシート材２４は、連結ボルト２３の締付力を分散させ、連結フレーム２１とフランジ１５、１５とを一様に均一に密着させる。ただし、シールドシート材２４は、室外側の連結フレーム２２とフランジ１５、１５との間に介装してもよく、また、室内側、室外側の連結フレーム２１、２２とフランジ１５、１５との双方の間に介装してもよい。
【００２２】
連結フレーム２１、２２は、それぞれパネル材１０、１０の側端面との間に室内側、室外側に開口するギャップｄ1 、ｄ1 を形成する。また、フランジ１５、１５は、開口部２２ａを介して連結フレーム２２内に突出するサブフランジ１５ｂ、１５ｂを介し、室外側の連結フレーム２２内に開口するギャップｄ2 を形成する。ギャップｄ1 、ｄ1 …、ｄ2 は、それぞれ電磁波の減衰用の迷路を形成し、パネル材１０、１０の連結部分における電磁遮蔽性能を向上させる。
【００２３】
カバー材３１は、取付孔３１ａを通してねじ孔２１ｃにねじ込む皿ビス形の止めねじ３１ｂ、３１ｂ…を介し、連結フレーム２１の室内側に着脱可能に装着され、連結フレーム２１の開口部２１ａを閉じている。そこで、室内側の連結フレーム２１内は、配線ケーブルＣ、Ｃ…用の収納スペースとして有効利用することができる。また、連結フレーム２１、２２は、カバー材３１とともに、パネル材１０、１０の室内側、室外側の表面と同一平面を形成し、たとえば合板５１を介し、パネル材１０、１０、連結構造Ａの室内側に電磁波吸収材からなる内装材５２を容易に体裁よく貼着することができる。
【００２４】
【他の実施の形態】
連結フレーム２１、２２は、パネル材１０、１０のフランジ１５、１６を介し、パネル材１０、１０を屈曲して連結する連結構造Ｂを構成することができる（図３）。一方のパネル材１０の室内側の上部、下部には、他方のパネル材１０のフランジ１５と同一形状のフランジ１６、１６が突設されている。なお、フランジ１６、１６は、それぞれパネル材１０の上端面、下端面からパネル材１０の厚さの半分相当の位置において、室内側、室外側の表面材１２、１３を重ね合わせ、他のパネル材１０の連結方向の室内側に延長して形成されている。
【００２５】
フランジ１６、１６を上下に有するパネル材１０を壁用とし、フランジ１５を側端面に有するパネル材１０、１０を床用、天井用とすると、壁用のパネル材１０は、連結フレーム２１、２２を使用し、上下のフランジ１６、１６を介して床用、天井用のパネル材１０、１０を直角に連結することができる。すなわち、室内側、室外側の連結フレーム２１、２２は、室内側から装着する連結ボルト２３、２３…を介し、フランジ１５、１６を同一平面内に突き合わせて挟み込んで連結することができる。なお、連結構造Ｂにおいても、連結フレーム２１、２２の一方または双方とフランジ１５、１６との間に軟質のシールドシート材２４が介装されている。
【００２６】
また、連結フレーム２１、２２は、それぞれ壁用のパネル材１０の室内側の表面と、床用または天井用のパネル材１０の側端面との間に、室内側または室外側に開口するギャップｄ1 、ｄ1 を形成し、フランジ１５、１６は、先端のサブフランジ１５ｂ、１６ｂを介して室外側の連結フレーム２２内に開口するギャップｄ2 を形成する。ただし、壁用のパネル材１０は、たとえばフレーム材１１内に固定するナット１１ａ、１１ａを利用し、図示しないボルトを介して建築物の床面、壁面、天井面などに固定するものとする。
【００２７】
床用、壁用、天井用のパネル材１０、１０…には、それぞれ合板５１を介して電磁波吸収材からなる内装材５２が室内側に付設されている。
【００２８】
床用、天井用の各パネル材１０は、四周の側端面にフランジ１５、１５…が連続して形成され（図４（Ａ））、壁用の各パネル材１０は、室内側の上下にフランジ１６、１６が形成され、左右の側端面にフランジ１５、１５が形成されている（同図（Ｂ））。なお、フランジ１６、１６は、フランジ１５、１５と連続させてもよく、フランジ１５、１５から切り離して形成してもよい。
【００２９】
図４に示す床用、天井用のパネル材１０、壁用のパネル材１０は、図２、図３の連結構造Ａ、Ｂを介して複数枚を連結し、一体のシールドルームを形成することができる（図５、図６）。すなわち、連結構造Ａ、Ａ…を介して図４（Ｂ）のパネル材１０、１０…を連結してシールドルームの壁面を形成し、連結構造Ａ、Ａ…を介して図４（Ａ）のパネル材１０、１０…を連結してシールドルームの床面、天井面を形成する。また、壁用の各パネル材１０は、上下の連結構造Ｂ、Ｂを介して天井用のパネル材１０、床用のパネル材１０を連結する。ただし、シールドルームのコーナ部を形成する壁用のパネル材１０は、平面視直角に屈曲して形成されている。
【００３０】
シールドルームの壁面には、門形または枠形の扉枠４２を介して電磁遮蔽形の開閉扉４１が組み込まれている。扉枠４２は、連結構造Ａと同様な連結構造Ａ1 を介して上部、左右の壁用のパネル材１０、１０…に連結されている。開閉扉４１は、ヒンジ４１ａ、４１ａを介して扉枠４２に開閉可能に組み付けられ、室内側、室外側に把手４１ｂ、４１ｂが付設されている。また、開閉扉４１には、扉枠４２のラッチ４２ａに係合するラッチ機構４１ｃが搭載されている。
【００３１】
以上の説明において、カバー材３１は、止めねじ３１ｂ、３１ｂ…に代えて、板ばねからなる係合片３１ｃ、３１ｃ…を介して室内側の連結フレーム２１の開口部２１ａに着脱可能に装着してもよい（図７）。係合片３１ｃ、３１ｃ…は、連結フレーム２１のフランジ部分に弾発的に係合してカバー材３１を外れ止めする。
【００３２】
【発明の効果】
以上説明したように、この発明によれば、２枚のパネル材の連結方向にそれぞれ突設するフランジと、パネル材のフランジを同一平面内に突き合わせて室内側、室外側から挟み込んで連結する一対の連結フレームと、カバー材とを組み合わせることによって、パネル材は、それぞれのフランジと、室内側、室外側の連結フレームとを介し、電気的に完全な一体に連結することができる上、連結フレームは、カバー材とともに、パネル材の室内側、室外側の表面と同一平面を形成するから、パネル材を体裁よく連結し、しかも、電磁波吸収材からなる内装材を貼着するのに何らの困難性もなく、高度の電磁遮蔽性能を容易に実現することができるという優れた効果がある。
【図面の簡単な説明】
【図１】  全体構成分解斜視図
【図２】  全体構成横断面説明図
【図３】  他の実施の形態を示す縦断面説明図
【図４】  パネル材の斜視説明図
【図５】  シールドルームの一部破断正面図
【図６】  シールドルームの横断面平面図
【図７】  他の実施の形態を示す要部拡大断面図
【符号の説明】
Ａ、Ｂ…連結構造
ｄ1 、ｄ2 …ギャップ
１０…パネル材
１２、１３…表面材
１５、１６…フランジ
１５ｂ、１６ｂ…サブフランジ
２１、２２…連結フレーム
２１ａ…開口部
２３…連結ボルト
２３ａ…スペーサ
２４…シールドシート材
３１…カバー材
【図１】
0004759176.tif 000002
【図２】
0004759176.tif 000003
【図３】
0004759176.tif 000004
【図４】
0004759176.tif 000005
【図５】
0004759176.tif 000006
【図６】
0004759176.tif 000007
【図７】
0004759176.tif 000008